(57)【要約】【課題】  紙管の形成に高価な機械が必要であり、コスト高や市場の要求に対応できなかった。【解決手段】  本発明は、台紙に、スリットと、差込み片と、重ね代と、ストッパーを形成し、差込み片を重ね代の外側に重ねてスリットに差込むと自動的に所定径の紙管ができる紙管台紙とした。前記紙管台紙を丸め、スリットに差込んだ差込み片を重ね代に両面テープ、接着テープ、接着剤で接着固定して紙管とした。【選択図】  図３
2006182354.tif 000002
【特許請求の範囲】
【請求項１】
筒状に丸めることのできる台紙（１）の丸め方向一端（１ａ）寄りに台紙（１）の外縁（２）に沿ってスリット（３）を形成し、台紙（１）のうちスリット（３）の外側部分を重ね代（４）とし、台紙（１）の他端（１ｂ）側に前記重ね代（４）の外側に重ねて前記スリット（３）に差込み可能な差込み片（５）を設け、差込み片（５）の両外側又は一方の外側にスリット（３）の開口縁（３ａ）に突き当たるストッパー（６）を設けたことを特徴とする紙管台紙。
【請求項２】
請求項１記載の紙管台紙において、重ね代（４）の表面（４ａ）と差込み片（５）の表面（５ａ）の一方又は双方に両面テープ（７）を貼り付けるか接着剤を塗布しておき、その両面テープ（７）又は接着剤により、重ね代（４）の表面（４ａ）に重ねてスリット（３）に差し込まれた差込み片（５）の裏面（５ｂ）と重ね代（４）の表面（４ａ）、差込み片（５）の表面（５ａ）と台紙（１）の裏面（１２）、のいずれか一方または双方を接着固定可能としたことを特徴とする紙管台紙。
【請求項３】
請求項１又は請求項２記載の紙管台紙を丸め、差込み片（５）を重ね代（４）の表面（４ａ）に重ねてスリット（３）に差込み、差込み片（５）の裏面（５ｂ）と重ね代（４）の表面（４ａ）、差込み片（５）の表面（５ａ）と台紙（１）の裏面（１２）、のいずれか一方または双方を接着固定したことを特徴とする紙管。
【請求項４】
請求項１又は請求項２記載の紙管台紙を丸め、差込み片（５）を重ね代（４）の表面（４ａ）に重ねてスリット（３）に差込み、その差込み部分（８）にその内側から又は外側から接着テープ（９）を貼って差込み部分（８）を接着固定したことを特徴とする紙管。
【発明の詳細な説明】
【技術分野】
【０００１】
本発明は、食品、衣料品、身廻り品、おもちゃ、化粧品、貴金属、工業製品といた各種物品の収容、包装等に用いられる円筒形の容器の筒（通称：紙管）を作るのに使用される容器用台板（通称：紙管台紙）と、それを使用して筒状に組立てた紙管に関するものである。
【背景技術】
【０００２】
食品、衣料品、身廻り品、おもちゃ、化粧品等の収容や包装に使用されている従来の紙製筒状容器は円筒状の紙管の底に底板を取り付け、紙管の上に蓋を被せるようにしてある。円筒状の紙管は図８（ａ）（ｂ）に示すように、長方形の台紙Ａを丸めて管形にし、丸めた台紙Ａの両端部Ｂ、Ｃを重ね合わせ、重ね合わされた両端部Ｂ、Ｃをホットメルト接着剤等によって接着されている。台紙Ａの丸め作業及び両端部Ｂ、Ｃの位置決め作業はロール機で、両端部Ｂ、Ｃの接着作業はジョイント機で、夫々、自動的に行なわれている。
【発明の開示】
【発明が解決しようとする課題】
【０００３】
しかし、従来のロール機及びジョイント機を使用する紙管製造方法は、紙管を大量生産するのには便利であるが、次のような課題があった。
（１）、紙管製造機械は高額であるため、その導入に多額の資金が必要となり、個人中小企業では導入が難しい。導入しても導入後のメンテナンスに費用と時間が掛かりランニングコストも高くなる。その結果、紙管の価格も高くならざるを得ない。
（２）所定サイズの紙管を大量生産する場合は高価なロール機及びジョイント機を購入しても採算が合うが、各種サイズ、形状の紙管を多品種、少量生産する場合は、設備投資に要した費用を十分に回収できない。
（３）市場が要求する紙管のサイズ、形状等は時期や流行に応じて常に変化するため、市場が要求するサイズ、形状の紙管を製造するためのロール機及びジョイント機を導入するにしても、ロール機及びジョイント機の発注、製造が間に合わず、紙管の製造販売時期を逸してしまう場合もある。
【課題を解決するための手段】
【０００４】
本発明は、ロール機及びジョイント機を使用しなくとも、簡単な手作業によって手軽に、簡易に、安価に紙管の組立てが可能であり、各種サイズ、形状等の紙管の需要に迅速に対応しうる紙管台紙と、それを組み立てた紙管を提供するものである。
【０００５】
本発明の紙管台紙は、筒状に丸めることのできる台紙の丸め方向一端寄りに台紙の外縁に沿ってスリットを形成し、台紙のうちスリットの外側部分を重ね代とし、台紙の他端側に前記重ね代の外側に重ねて前記スリットに差込み可能な差込み片を設け、差込み片の両外側又は一方の外側にスリットの縁に突き当たるストッパーを設けた。前記重ね代の表面と差込み片の表面の一方又は双方に両面テープを貼り付けるか接着剤を塗布しておき、その両面テープ又は接着剤により、重ね代の表面に重ねてスリットに差し込まれた差込み片の裏面と重ね代の表面、差込み片の表面と台紙の裏面、のいずれか一方または双方を接着固定可能とした。
【０００６】
本発明の紙管は、前記紙管台紙を丸め、差込み部を重ね代の表面に重ねてスリットに差込み、差込み片の裏面と重ね代の表面、差込み片の表面と台紙の裏面、のいずれか一方または双方を接着固定してある。
【０００７】
本発明の紙管は、前記紙管台紙を丸め、差込み片を重ね代の表面に重ねてスリットに差込み、その差込み部分にその内側から又は外側から接着テープを貼って差込み部分を接着固定してある。
【発明の効果】
【０００８】
本件発明の紙管台紙は、台紙にスリットと、差込み片と、重ね代と、ストッパーが形成されているため次のような効果がある。
（１）差込み片を重ね代の表面に重ねてスリットに差込んで、重ね代の表面に差込み片の裏面を接着固定するだけで紙管を形成することができる。このため、ロール機及びジョイント機を使用せずに、手作業によって手軽に、簡単に、紙管の組み立てができ、コスト減に資する。この場合、差込み片の表面と台紙の裏面も接着すれば、差込み片と重ね代、差込み片と台紙の二箇所が接着固定されるため接着固定がより一層確実になる。
（２）台紙のサイズや形状を変えるだけで、各種サイズ、形状の紙管を手軽に形成することができるので、多品種、少量生産に適し、市場の早急な要求や流行の変化にも迅速に対応できる。
（３）ストッパーがあるため、スリットに差込み片を差し込んで、ストッパーをスリットの縁に突き当てるだけで差込み片の差込みが確実に停止する（位置決めができる）ため、同じサイズ、形状の紙管台紙であれば、誰が丸めて紙管を組み立てても、一定形状で一定径の紙管を作ることができ、紙管の仕上がりが一定し、品質が安定する。
（４）重ね代と差込み片の双方又は一方に予め両面テープが貼られているか、接着剤が塗布されているため、丸めて紙管をつくるときに、両面テープを貼ったり、接着剤を塗布したりする必要がなく、手軽に、簡易、迅速に紙管の組み立てができ、生産性も向上する。また、接着剤や両面テープのはみ出し等も発生しないため、不良品が殆どなく、歩留まりが向上する。
【０００９】
本件発明の紙管は、前記紙管台紙を丸めて、差込み片を重ね代の表面に重ねてスリットに差込み、差込み片の裏面と重ね代の表面、差込み片の表面と台紙の裏面、のいずれか一方または双方を接着固定したので接着が確実であり、変形や破損がしにくくなる。
【発明を実施するための最良の形態】
【００１０】
以下に本発明の紙管台紙及びそれを使用した紙管の実施形態を説明する。本件発明の紙管台紙、紙管は、紙製のものに限らず、樹脂、皮革といった各種材料製とすることができるが、本発明では紙製ではなく、いずれの材質製であっても紙管台紙、紙管という。
【００１１】
（紙管台紙の実施形態１）
本発明の紙管台紙の実施形態の一例を図１、図３を用いて詳細に説明する。本発明の紙管台紙は図１（ａ）に示すように、略長方形の台紙１の一端寄り１ａに、その外縁２に沿ってスリット３を形成し、台紙１のうちスリット３の外側部分を重ね代４とし、台紙１の他端１ｂ側に差込み片５を設けてある。台紙１には前記スリット３に差込み可能な差込み片５を形成し、差込み片５の上下両端に台紙１の他端１ｂの縁よりも一段下がった凹陥部１０を形成し、その端縁１０ａをスリット３の開口縁３ａに突き当たるストッパー６としてある。
【００１２】
図１（ａ）に示す台紙１は略長方形の紙材であって、図３に示すように丸めると管形（筒形）になるものである。台紙１には厚紙、樹脂シート、皮革シート、金属シートといった各種材質のものを用いることができる。台紙１の形状も長方形には限られず、正方形、三角形、台形、横長楕円形等の、管形に丸めることのできる形状であれば任意の形状とすることができる。本発明において丸める形状は真円形だけなく、六角形、八角形といった各種形状に折り曲げて筒状に丸めることもできる。台紙１を扇形にすればそれを円錐形に丸めて紙管とすることができ、台紙１が台形の場合はそれを頭裁円錐形に丸めて紙管とすることができる。また、台紙１に底板、蓋板を予め備えた形状とし、紙管を形成する際に底板、蓋板を備えてそのまま筒状容器を形成することもできる。
【００１３】
図１（ａ）のスリット３は台紙１の一端１ａ寄りを、台紙１の外縁２に沿って所定長に切って形成したものである。スリット３の長さＬ1は、台紙１の長さＬより短ければ図１（ａ）の場合よりも長くすることも、短くすることもでき、任意の長さとすることができる。また、スリット３の位置も台紙１内であれば任意の位置とすることができ、図１の場合よりも台紙１の外縁２寄りに形成することも、外縁２から離して形成することもできる。
【００１４】
図１（ａ）に示すスリット３の外側の重ね代４は、台紙１を図３のように丸めて紙管を形成する際に、差込み片５を重ねて接着剤で接着する糊代となるものであるため、重ね代４の幅Ｘは、差込み片５を確実に接着するのに十分な幅にしてある。また、図１（ａ）の凹陥部２０は、台紙１を筒状に丸めて紙管を形成した際、紙管の上端及び下端の継目部分が、台紙１が重なって分厚くなることを防ぐために形成されたものである。この凹陥部２０の形成は、例えば紙コップの飲み口部分のように、紙管の端部をカールさせる加工を行う場合等に、継目部分を目立たなくさせたり、厚くならないことによって、継目部分のカールをしにくくならないようにすることができる等の利点がある。
【００１５】
図１（ａ）に示す差込み片５はスリット３に差し込むものであるため、その長さＬ2はスリット３の長さＬ1と同じか、それよりも短くしてある。差込み片５の幅Ｙはスリット３に確実に差込み可能な長さにしてある。差込み片５はスリット３に差込み易くするため、先端部両側面５ｃを先細りのテーパ面にしてある。
【００１６】
前記ストッパー６は、差込み片５をスリット３に差し込んだときに、差込み片５を所定位置まで確実に差し込むためのものであり、差込み片５をスリット３に差し込むときに、ストッパー６がスリット３の開口縁３ａに突き当たらないときは差込み片５の差込が不足していることになり、ストッパー６がスリット３の開口縁３ａに突き当たると差込み片５の差込長が一定になる。図１（ａ）の凹陥部１０はストッパー６を形成するためのものである。図１（ａ）では凹陥部１０を差込み片５の上下両端に形成して、ストッパー６を差込み片５の上下両端に形成してあるが、ストッパー６が差込み片５の上下両端のいずれか一方にあれば十分である場合は、凹陥部１０を差込み片５の上下いずれか一方にだけ形成し、凹陥部１０の端縁１０ａをストッパー６とする。図１（ａ）ではスリット３の上下両側にも凹陥部１０が形成されているが、その凹陥部１０は場合によっては設ける必要はない。
【００１７】
（紙管台紙の実施形態２）
本発明の紙管台紙の実施形態の一例を図２を参照して詳細に説明する。図２（ａ）（ｂ）の紙管台紙の基本の形状及び構造は図１（ａ）（ｂ）に示すものと同じであり、異なるのは、重ね代４の表面４ａと、差込み片５の表面５ａに両面テープ７を貼り付けるか、接着剤を塗布しておいたことである。両面テープ７の場合は表面に被覆紙を貼り付けたままにしておき、台紙１を丸めて接着するときに剥離紙を剥離して使用する。接着剤は任意のもの、例えば、ホットメルト接着剤とか、常温では接着しないが加熱すると粘着性が出る接着剤等を使用することができる。
【００１８】
（紙管台紙の実施形態３）
本発明の紙管台紙の実施形態の他例を図５（ａ）（ｂ）を用いて詳細に説明する。この紙管台紙は基本的には図２に示す紙管台紙と同じであり、異なるのは、図５（ａ）に示すものは、スリット３と、差込み片５、重ね代４を図２の場合よりも短くして、上下に離して二個ずつ形成し、夫々の重ね代４の表面と差込み片５の表面５ａに両面テープ７を貼り付けたものである。図５（ｂ）に示すものは、スリット３と差込み片５として短いものを二つ形成し、重ね代４を長くして一つにしたものである。
【００１９】
（紙管台紙の実施形態４）
本発明の紙管台紙はスリット３、重ね代４、差込み部５を三個以上にすることができる。
【００２０】
（紙管の実施形態１）
本発明の紙管の実施形態の一例として図４の紙管について説明する。図４の紙管は図２の紙管台紙を使用して作ったものである。この紙管は図２の紙管台紙１の表面１１を外側、裏面１２を内側にして丸め（図３ａ、ｂ参照。）、差込み片５を重ね代４の外側に重ねてスリット３に差込み（図３ａ、ｂ参照。）、重ね代４及び差込み片５に取り付けてある両面テープ７の剥離紙を剥離し、それら両面テープ７により重ね代４の表面４ａと差込み片５の裏面５ｂ、又は重ね代４の表面４ａ及び差込み片５の表面５ａと台紙１の裏面１２を接着固定して紙管を完成した（図４ａ、ｂ参照。）ものである。
【００２１】
（紙管の実施形態２）
本発明の紙管は図１の紙管台紙を使用して作ることもできる。この紙管は基本的には図２の紙管台紙を使用して作った紙管と同様であり、異なるのは、台紙１を丸める前に重ね代４の表面４ａと差込み片５の表面５ａに両面テープ７を貼り付けるか、接着剤を塗布し、それから台紙１を丸めてスリット３に差込み片５を差込み、その後に、前記両面テープ或は接着剤を利用して重ね代４に差込み片５を接着固定したことである。
【００２２】
図１の紙管台紙を使用して紙管を作る場合は、図１の紙管台紙を丸めて差込み片５を重ね代４の外側に重ねてスリット３に差込み、その状態で図６のように差込み部分８の外側から接着テープ９を貼って接着固定したり、図７のように差込み部分８の内側から接着テープ９を貼って接着固定したりすることもできる。
【図面の簡単な説明】
【００２３】
【図１】（ａ）は本発明の紙管台紙の実施形態の一例を示す正面図、（ｂ）は（ａ）の紙管台紙の平面図。
【図２】（ａ）は本発明の紙管台紙に予め接着材を貼ったり、塗布したりしておく場合の実施形態を示す正面図、（ｂ）は（ａ）の紙管台紙の平面図。
【図３】（ａ）は図２に示す紙管台紙を丸めた様子を示す斜視図、（ｂ）は（ａ）の紙管台紙の平面図。
【図４】（ａ）は図２に示す紙管台紙を用いて形成した紙管の斜視図。（ｂ）は（ａ）の紙管の平面図。
【図５】（ａ）、（ｂ）は本発明の紙管台紙及び紙管の異なる実施形態を示す斜視図。
【図６】本発明の紙管において差込み片をスリットに差込んだ部分をその外側から接着テープで接着固定した状態の説明図。
【図７】本発明の紙管において差込み片をスリットに差込んだ部分をその内側から接着テープで背着固定した状態の説明図。
【図８】（ａ）は従来の紙管の形成過程を示す斜視図、（ｂ）は（ａ）の平面図である。
【符号の説明】
【００２４】
１  台紙
１ａ  台紙の丸め方向一端
１ｂ  台紙の他端
３  スリット
３ａ  開口縁
４  重ね代
４ａ  重ね代の表面
５  差込み片
５ａ  差込み片の表面
５ｂ  差込み片の裏面
６  ストッパー
７  両面テープ
８  スリットへの差込み片の差込み部分
９  接着テープ
１０  凹陥部
【図１】
2006182354.tif 000003
【図２】
2006182354.tif 000004
【図３】
2006182354.tif 000005
【図４】
2006182354.tif 000006
【図５】
2006182354.tif 000007
【図６】
2006182354.tif 000008
【図７】
2006182354.tif 000009
【図８】
2006182354.tif 000010